(57)【要約】【課題】  複雑なルアーアクションを実現し、特には左右方向へのロールアクションをスムーズなものとする釣り用ルアーを提供する。【解決手段】  透明な水流抵抗板２、釣糸を結び付けるための糸環３、フック５をつなげるためのリング４等が設けられたルアーボディ１の上部すなわち背部に、正中線上に金属製の鰭部材６が左右に揺動可能に配設される。このように鰭部材６が左右に揺動可能となっているので、遊泳中に鰭部材６がパタパタと揺動して複雑なルアーアクションが実現されるとともに、特に左右方向へのロールアクション時に水流抵抗に対して鰭部材６が傾斜するので、ロールアクションを妨げることがなくスムーズなものとし、自然な動きを演出することができる。【選択図】  図１
2006325431.tif 000002
【特許請求の範囲】
【請求項１】
魚を模した外観形状となるように形成されたルアーボディと、
前記ルアーボディに揺動可能に配設された鰭部材とを備えたことを特徴とする釣り用ルアー。
【請求項２】
前記鰭部材は、前記ルアーボディの上部及び下部の少なくともいずれか一方に左右に揺動可能に配設されることを特徴とする請求項１に記載の釣り用ルアー。
【請求項３】
前記鰭部材を金属製としたことを特徴とする請求項１又は２に記載の釣り用ルアー。
【発明の詳細な説明】
【技術分野】
【０００１】
本発明は、釣り用ルアーに関する。
【背景技術】
【０００２】
ルアー釣りにおいて、対象魚の種類等に応じて様々な形態や工夫が施された釣り用ルアーが提案されている。例えば所謂フィッシュイーターと呼ばれる主に小魚を常食餌とする対象魚の場合、小魚に似せた形態の釣り用ルアーが使用される。
【発明の開示】
【発明が解決しようとする課題】
【０００３】
対象魚に対して強くアピールする集魚効果を得るために、釣り用ルアーの形状や色彩等に工夫がなされている。また、釣り用ルアーにおける対象魚に対するアピール効果は、形態ばかりではなく、遊泳中にとるルアーアクションも重要なポイントとなる。
【０００４】
例えば小魚の背鰭や臀鰭、胸鰭等までも再現した釣り用ルアーはあるが、単にルアーボディに固定の突状部が形成されているに過ぎず、ルアーアクションに変化を与えるようなものではなかった。逆に釣り用ルアーの左右方向へのロールアクション（ローリング）時に背鰭や臀鰭、胸鰭等が水流抵抗を受けてしまい、ロールアクションを妨げることにもなりかねない。
【０００５】
本発明は上記のようなに点に鑑みてなされたものであり、複雑なルアーアクションを実現し、特には左右方向へのロールアクションをスムーズなものとする釣り用ルアーを提供することを目的とする。
【課題を解決するための手段】
【０００６】
本発明の釣り用ルアーは、魚を模した外観形状となるように形成されたルアーボディと、前記ルアーボディに揺動可能に配設された鰭部材とを備えた点に特徴を有する。
また、本発明の釣り用ルアーの他の特徴とするところは、前記鰭部材は、前記ルアーボディの上部及び下部の少なくともいずれか一方に左右に揺動可能に配設される点にある。
また、本発明の釣り用ルアーの他の特徴とするところは、前記鰭部材を金属製とした点にある。
【発明の効果】
【０００７】
本発明によれば、ルアーボディで鰭部材が揺動可能になっているので、複雑なルアーアクションを実現し、特には左右方向へのロールアクションをスムーズなものとすることができる。
【発明を実施するための最良の形態】
【０００８】
以下、図面を参照して、本発明の釣り用ルアーの好適な実施形態について説明する。なお、本明細書において上下、左右、前後とは、魚の顔を前とし、尾を後ろとして定められるものとする。
【０００９】
本実施形態の釣り用ルアーはいわゆるミノー型の釣り用ルアーであり、魚を模した外観形状となるように成形されたルアーボディ１を有する。
【００１０】
ルアーボディ１の前端部付近には、斜め下方に向けて突出する透明な水流抵抗板２（いわゆるリップ）が付設される。
【００１１】
また、ルアーボディ１の前端には、釣糸を結び付けるための糸環３（いわゆるアイ）が設けられる。この糸環３に釣糸が結び付けられ、その釣糸によって引っ張られるようにして釣り用ルアーが遊泳する。
【００１２】
さらに、ルアーボディ１の後端及び腹部には、フック５をつなげるためのリング４が設けられる。
【００１３】
ルアーボディ１は、合成樹脂等の材料により概略中空構造を有するように成形され、その長手方向（前後方向）に沿って二分した２つの左右２つのボディハーフ１ａ、１ｂを相互に結合してなる。
【００１４】
また、ルアーボディ１の内部には、通常は金属製の錘機能を有する不図示のバランスウェイトが内蔵される。バランスウェイトとしては、ルアーボディ１内の所定部位に固定されるものやルアーボディ１の長手方向に沿って移動可能なものがある。
【００１５】
ここで、ルアーボディ１の上部すなわち背部にて、正中線上に金属製（例えばステンレス鋼やアルミニウム合金）の鰭部材６が左右に揺動可能に配設される。なお、鰭部材６の取り付け位置や形状は図示したものに限られるものではなく、ルアーボディ１の形状等に合わせて適宜変更してもかまわない。
【００１６】
鰭部材６は、図４に示すように、扁平な鰭本体６ａと、鰭本体６ａの下部に設けられた所定の前後長さＬ1を有する薄板部６ｂと、薄板部６ｂの下辺に沿って設けられ、薄板部６ｂの前後長さＬ1よりも長尺（長さＬ2）とされた回転軸部６ｃとにより構成され、これら鰭本体６ａと薄板部６ｂと回転軸部６ｃとが一体形成されている。
【００１７】
一方、図２、３に示すように、ルアーボディ１の上部には、鰭部材６の回転軸部６ｃを収容するための収容室７が形成されるとともに、鰭部材６の薄板部６ｂを挿通して鰭本体６ａを外部に突出させるための開口部８が形成される。開口部８の前後長さＬは、薄板部６ｂの前後長さＬ1と同程度或いはやや長く、回転軸部６ｃの長さＬ2よりも短くなっている。
【００１８】
上述したようにルアーボディ１は左右２つのボディハーフ１ａ、１ｂを相互に結合してなるが、各ボディハーフ１ａ、１ｂの上部結合辺にそれぞれ横断面半円形の凹部７ａ、７ｂが形成されており、ボディハーフ１ａ、１ｂを相互に結合すると、それら凹部７ａ、７ｂが相俟って横断面円形の収容室７が形成されるとともに開口部８が形成される。このようにボディハーフ１ａ、１ｂを相互に結合する際に、収容室７に鰭部材６の回転軸部６ｃを収容し、鰭部材６の薄板部６ｂを開口部８に挿通して鰭本体６ａを外部に突出させる。これにより、鰭部材６は、回転軸部６ｃを中心に左右に揺動可能となる。
【００１９】
以上述べた釣り用ルアーは、キャスティングされて着水した後、釣糸によって引っ張られることで、水流抵抗板２が水流抵抗を受けて潜行する。その場合に、釣糸の引き加減や水流の加減で、釣り用ルアーの遊泳を緩急制御することができる。
【００２０】
その際に、図２に示すように、鰭部材６が左右に揺動可能となっているので、遊泳中に鰭部材６がパタパタと揺動して複雑なルアーアクションが実現されるとともに、特に左右方向へのロールアクション時に水流抵抗に対して鰭部材６が傾斜するので、ロールアクションを妨げることがなくスムーズなものとし、自然な動きを演出することができる。また、鰭部材６が揺動するときに波動を発生し、集魚効果を発揮する。これらにより、対象魚に対する強いアピール効果が得られ、高い釣果を期待することができる。
【００２１】
特に、本実施形態のように背鰭をなすような鰭部材６とした場合、水面近くを遊泳するときに鰭部材６が水面上に突出した状態となり、その状態で鰭部材６が左右に揺動することで、より効果的な音や振動や気泡を発生させることができる。
【００２２】
さらに、上述したように鰭部材６を金属製とした場合には、鰭部材６が揺動する際に特有の反射光を発生し（フラッシング効果）、対象魚に対する強いアピール効果が得られることになる。
【００２３】
（他の実施形態）
上記実施形態のように鰭部材６に回転軸部６ｃを設けた方がより滑らかな揺動が期待されるが、回転軸部６ｃとしなくてもかまわない。すなわち、鰭部材６は、図５に示すように、扁平な鰭本体６ａと、鰭本体６ａの下部に設けられた所定の前後長さＬ1を有する第１の薄板部６ｂと、第１の薄板部６ｂの下辺に沿って設けられ、第１の薄板部６ｂの前後長さＬ1よりも長尺（長さＬ2）とされた第２の薄板部６ｄとにより構成されるようにしてもよい。
【００２４】
この場合、収容室７を横断面円形とする必要はなく、鰭部材６の第２の薄板部６ｄが左右に適度に揺動できるような形状とすればよい。
【００２５】
また、開口部８の前後長さＬが第２の薄板部６ｄの長さＬ2よりも短くなっているので、鰭部材６がルアーボディ１から外れてしまうこともない。
【００２６】
なお、鰭部材６の材質としては、ルアーボディ１と同じ材質としてもよいし、ルアーボディ１と異なる材質としてもよい。例えば、上述した金属の他にも、エラストマー、各種合成樹脂（例えば硬質プラスチックや軟質プラスチック）、カーボン素材等を用いることが挙げられる。
【００２７】
また、鰭部材６の色彩等は適宜なものとすればよく、例えば透明としてもよい。また、鰭部材６とルアーボディ１との両方を合成樹脂製とする場合でも、互いに異なる表面処理を施す等してもよい。
【００２８】
以上、本発明を種々の実施形態と共に説明したが、本発明はこれらの実施形態にのみ限定されるものではなく、本発明の範囲内で変更等が可能である。例えば、上記実施形態では、ルアーボディ１の上部に鰭部材６が左右に揺動可能に配設される例を説明したが、図６に示すようにルアーボディ１の下部にて揺動可能としてもよいし、ルアーボディ１の上部及び下部の両方にて揺動可能としてもよい。
【００２９】
また、ルアーボディ１の左右の側面に、胸鰭をなすように鰭部材６を配設して揺動可能とするようにしてもよい。
【００３０】
また、上記本実施形態では、ルアーボディ１が合成樹脂製のボディハーフ１ａ、１ｂを相互に結合してなる例を説明したが、例えば発泡樹脂やバルサ材等を削り出すことによりルアーボディ１を成形してもよい。
【図面の簡単な説明】
【００３１】
【図１】本実施形態の釣り用ルアーの側面図である。
【図２】本実施形態の釣り用ルアーの一部横断面図である。
【図３】本実施形態の釣り用ルアーの側面一部断面図である。
【図４】本実施形態の鰭部材を示す図である。
【図５】他の実施形態の鰭部材を示す図である。
【図６】ルアーボディの下部に鰭部材が左右に揺動可能に配設された場合の釣り用ルアーの側面図である。
【符号の説明】
【００３２】
１      ルアーボディ
２      水流抵抗板
３      糸環
４      リング
５      フック
６      鰭部材
６ａ    鰭本体
６ｂ    薄板部
６ｃ    回転軸部
６ｄ    第２の薄板部
７      収容室
８      開口部
【図１】
2006325431.tif 000003
【図２】
2006325431.tif 000004
【図３】
2006325431.tif 000005
【図４】
2006325431.tif 000006
【図５】
2006325431.tif 000007
【図６】
2006325431.tif 000008